(57)【要約】【課題】内鉢が外鉢内に挿入された状態で外部から内鉢が視認出来ない形態にすると、下方支持になって各種類の内鉢に対し専用の外鉢が必要になる。【解決手段】外鉢１の周壁３における内周面の上端側寄りに３個以上の支承突部６、6a、6b…を設け、内鉢２の周壁５における外周面の上端側寄りに、内鉢２の収容時に支承突部６、6a、6b…が当接する受承面８を設け、該受承面８を、円周方向に所定間隔毎に隙間無く配列したポケット７、7a…の最奥部に形成し、このポケット７、7a…の両側部を、相互間が徐々に拡開する傾斜面９、9aとすることによって、外鉢１の上端側に内鉢２の上端部位を係止しても、内鉢２における周壁５の上端外周部にフランジ部はなく外部から内鉢２を視認出来ない様にし、且つ内鉢２における口径、ポケットの位置・形状及び周壁５のテーパー角が同じで外鉢１内に収容可能な高さでありさえすれば、高さの異なる内鉢２であっても対応可能にする。【選択図】図１
2011152098.tif 000002
【特許請求の範囲】
【請求項１】
外鉢と該外鉢内に取り出し可能に収容される内鉢とを有し、外鉢の周壁における内周面又は内鉢の周壁における外周面のどちらか一方の上端側寄りに３個以上の支承突部を設け、他方を円周面又は下方縮径テーパー面としてその上端側寄りに、内鉢の収容時に支承突部が当接する受承面を設け、上記支承突部を、収容状態における内鉢の中心線に対し等角放射線上に配置すると共に、それらの最内端部を上記中心線を中心とした同心円上に配置し、上記受承面を、各支承突部毎に複数個設けたポケットの最奥部に形成し、複数個のポケットを円周方向に所定間隔毎に隙間無く配列し、各ポケットの両側部を、相互間が徐々に拡開する傾斜面としたことを特徴とする二重植木鉢。
【請求項２】
内鉢の周壁における外周面を円周面又は下方縮径テーパー面とし、内鉢の上端部位を段部を介して拡径し、周壁における外周面に形成された拡径段部に複数個のポケットを円周方向に所定間隔毎に配列形成したことを特徴とする請求項１記載の二重植木鉢。
【請求項３】
上記ポケットを、円周方向全周にわたり等間隔で連続形成し、且つその個数を支承突部の個数の整数倍としたことを特徴とする請求項１又は２記載の二重植木鉢。
【請求項４】
外鉢の周壁における内周面及び内鉢の周壁における外周面の両方を円周面又は下方縮径テーパー面としたことを特徴とする請求項１、２又は３記載の二重植木鉢。
【発明の詳細な説明】
【技術分野】
【０００１】
本発明は、外鉢と該外鉢内に取り出し可能に収容した内鉢とを有する構成にして、植物を育成・運搬時には内鉢だけの状態とし、出荷・陳列時には内鉢を外鉢内に収容状態とすることを可能にした二重植木鉢に関する。
【背景技術】
【０００２】
従来、外鉢と該外鉢内に取り出し可能に収容される内鉢とを有する二重植木鉢にあっては、基本的には、底壁及び下方に行くに従って小径となるテーパー形状の周壁を有する内鉢と、該内鉢と同様の底壁及び周壁を有する外鉢とを備えている。
具体的には、内鉢及び外鉢における周壁の上端外周部にフランジ部を形成すると共に、外鉢のフランジ部上に内鉢のフランジ部が置かれて外鉢に対し内鉢を支持収容することで、内鉢の周壁及び底壁に根の先端が通過する大きさの隙間を形成すること、及び内鉢の周壁及び底壁と外鉢の周壁及び底壁の間に隙間を形成することにより、植物を植えた小さいサイズの内鉢で培土量を少量に抑えても、大きい鉢へ植え替えずに栽培可能にしたため、特に営利栽培に最適な二重植木鉢が見受けられる（例えば、特許文献１参照）。
【０００３】
しかし、この二重植木鉢は、確かに外鉢の上端側に内鉢の上端部位を係止可能にし、且つ培土量を少量化が図られているかもしれないが、特に育苗用の鉢として適するものであって、育成時にも二重植木鉢として使用されるため、出荷・陳列時に外鉢の外周面の汚れを入念に落とさねばならず、又内鉢及び外鉢にフランジ部があるため、収容状態において内鉢のフランジ部が外部露出してしまうと共に、例え育成時に内鉢だけの状態で使用可能にしても占有面積が広くなってしまう。
【０００４】
そこで、少なくとも内鉢にフランジ部がない二重植木鉢として、植物を育成するための内鉢と、この内鉢が挿入される外鉢とから構成され、外鉢の底壁に、収容状態の内鉢の底壁が当接する複数の支持部を突設し、内鉢は、上端外周部にフランジ部を形成せず、外鉢内に収容状態で、内鉢の上縁を外鉢の上縁と略面一、若しくは外鉢の上縁よりも所定距離下方に位置する寸法にて構成して、内鉢が外鉢内に挿入された状態で、外部から内鉢が視認出来ない様にして、外観を綺麗に見せることが出来る構成にしたものが見受けられる（例えば、特許文献２参照）。
そして、この二重植木鉢によれば、外鉢だけを植木鉢として商品価値の高い綺麗な色や形状にして、内鉢は、商品価値が低く綺麗な色や形状でなく、外鉢に対して大幅に廉価なものとすることが可能であり、出荷・陳列時に内鉢を綺麗に洗わずに大まかに汚れを落として外鉢内に収容すれば、二重植木鉢が外観上綺麗になった鉢植えとして市場に出荷したり、店頭に陳列することが出来る。
【先行技術文献】
【特許文献】
【０００５】
【特許文献１】特開平１１−２５３０５４号公報
【特許文献２】実用新案登録第３１４３５１８号公報
【発明の概要】
【発明が解決しようとする課題】
【０００６】
しかし、特許文献２として示した従来技術にあっては、確かに内鉢にフランジ部は無いが、収容状態の内鉢は外鉢の底壁に突設された支持部で下方支持されているため、例えば丈高な外鉢の場合、対応して高い内鉢にするか、或いはなるべく低い内鉢にすればその分支持部を高くせねば、内鉢の上縁を外鉢の上縁と略面一にすることが出来ず、よって各種類の内鉢に対し専用の外鉢が必要になるなど、解決せねばならない課題があった。
【課題を解決するための手段】
【０００７】
本発明は、上記従来技術に基づく、内鉢が外鉢内に挿入された状態で外部から内鉢が視認出来ない形態にすると、下方支持になって各種類の内鉢に対し専用の外鉢が必要になる課題に鑑み、外鉢の周壁における内周面又は内鉢の周壁における外周面のどちらか一方の上端側寄りに３個以上の支承突部を設け、他方を円周面又は下方縮径テーパー面としてその上端側寄りに、内鉢の収容時に支承突部が当接する受承面を設けることによって、特許文献１として示した従来技術と同様に、外鉢の上端側に内鉢の上端部位を係止しても、特許文献２として示した従来技術と同様に、内鉢における周壁の上端外周部にフランジ部はなく外部から内鉢を視認出来ない様にし、且つ内鉢における口径、ポケットの位置・形状及び周壁のテーパー角が同じで外鉢内に収容可能な高さでありさえすれば、高さの異なる内鉢であっても対応可能にして、上記課題を解決し、尚且つ上記支承突部を、収容状態における内鉢の中心線に対し等角放射線上に配置すると共に、それらの最内端部を上記中心線を中心とした同心円上に配置し、上記受承面を、各支承突部毎に複数個設けたポケットの最奥部に形成し、複数個のポケットを円周方向に所定間隔毎に隙間無く配列し、各ポケットの両側部を、相互間が徐々に拡開する様に傾斜した誘導面とし、上記支承突部における受承面との当接端部を幅狭にすることによって、外鉢に対し内鉢を位置決めせずに収容しても、全ての支承突部の夫々が複数個のポケットのどれかの受承面に確実に当たって垂直状態で収容可能にしている。
【発明の効果】
【０００８】
要するに本発明は、外鉢と該外鉢内に取り出し可能に収容される内鉢とを有し、外鉢の周壁における内周面又は内鉢の周壁における外周面のどちらか一方の上端側寄りに３個以上の支承突部を設け、他方を円周面又は下方縮径テーパー面としてその上端側寄りに、内鉢の収容時に支承突部が当接する受承面を設けたので、収容状態における内鉢の上縁を外鉢の上縁と略面一か所定距離下方に位置させる様に内外鉢を形成すれば、特許文献１として示した従来技術の様なフランジ部を形成せずに外鉢の上端側に内鉢の上端部位を係止し、且つ外部から内鉢を視認出来ない様に収容することが出来、更に育成時に内鉢だけの状態で使用しても、特許文献２として示した従来技術と同様に、占有面積を必要最低限に抑えることが出来る。
又、上記支承突部を、収容状態における内鉢の中心線に対し等角放射線上に配置すると共に、それらの最突端部を上記中心線を中心とした同心円上に配置し、上記受承面を、各支承突部毎に複数個設けたポケットの最奥部に形成し、複数個のポケットを円周方向に所定間隔毎に隙間無く配列し、各ポケットの両側部を、相互間が徐々に拡開する傾斜面としたので、収容時に外鉢内に内鉢を落とし込むと、支承突部が任意のポケットの一対の傾斜面のどちらか一方に当たって、受承面に対し支承突部が確実に誘導されるため、全ての支承突部の夫々が複数個のポケットのどれかの受承面に確実に当たって垂直状態で収容させることが出来る。
【０００９】
内鉢の周壁における外周面を円周面又は下方縮径テーパー面とし、内鉢の上端部位を段部を介して拡径し、周壁における外周面に形成された拡径段部に複数個のポケットを円周方向に所定間隔毎に配列形成したので、育成用ポットとして上端部位を段部を介して拡径されたものは一般的であることから、その拡径段部に複数個のポケットを形成してもスペース的な変化は無いため、占有面積を必要最低限に抑えることが出来る。
【００１０】
上記ポケットを、円周方向全周にわたり等間隔で連続形成し、且つその個数を支承突部の個数の整数倍としたので、収容時に外鉢内に内鉢を無造作に落とし込んでも、全ての支承突部の夫々が複数個のポケットのどれかの受承面に確実に当たって垂直状態で収容できる。
【００１１】
外鉢の周壁における内周面及び内鉢の周壁における外周面の両方を円周面又は下方縮径テーパー面としたので、収容時に外鉢内に内鉢が傾いた状態で落とし込まれたとしても、徐々に垂直状態に修正させることが出来る等その実用的効果甚だ大である。
【図面の簡単な説明】
【００１２】
【図１】本発明に係る二重植木鉢の実施例１における内鉢の正面図である。
【図２】図１のＡ−Ａ断面図である。
【図３】本発明に係る二重植木鉢の実施例１における外鉢の平面図である。
【図４】図３のＢ−Ｂ断面図である。
【図５】本発明に係る二重植木鉢の実施例１の使用状態を示す正面図である。
【図６】図５のＣ−Ｃ断面図である。
【図７】図５のＤ−Ｄ断面の拡大図である。
【図８】収容時における内鉢の動きを説明する要部拡大正面図である。
【図９】本発明に係る二重植木鉢の実施例２における内鉢の底面図ある。
【図１０】図９のＥ−Ｅ断面図である。
【図１１】本発明に係る二重植木鉢の実施例２における外鉢の平面図である。
【図１２】図１１のＦ−Ｆ断面図である。
【図１３】本発明に係る二重植木鉢の実施例２の中央縦断面図である。
【図１４】外鉢の周壁を二重壁とした二重植木鉢の中央縦断面図である。
【発明を実施するための形態】
【００１３】
以下、本発明を実施するための形態を図面に基づき説明する。
本発明に係る二重植木鉢は、外鉢１及び該外鉢１内に取出し可能に収容される内鉢２を有し、外鉢１は周壁３を有し、内鉢２は底壁４及び周壁５を有している。
上記外鉢１の周壁３における内周面又は上記内鉢２の周壁５における外周面のどちらか一方の上端側寄りに３個以上の支承突部６、6a…を設け、他方を円周面又は下方縮径テーパー面とし、その上端側寄りに、各支承突部６、6a…毎に対応する複数個のポケット７、7a…を円周方向全体にわたり隙間無く連続形成すると共に、各ポケット７、7a…の最奥部に、上方より外鉢１内に内鉢２を収容する際の支承突部６、6a…の受承面８を形成している。
上記支承突部６、6a…を、収容状態における内鉢２の中心線に対し等角放射線上に配置すると共に、それらの突端部を上記中心線を中心とした同心円上に配置し、上記各ポケット７、7a…の両側部を、相互間が受承面８側へ漸次狭くなる傾斜面９、9aとしている。
【実施例１】
【００１４】
図１、２は、本発明に係る二重植木鉢の実施例１における内鉢の正面図、図１のＡ−Ａ断面図であり、図３、４は、本発明に係る二重植木鉢の実施例１における外鉢の平面図、図３のＢ−Ｂ断面図であり、図５〜７は、本発明に係る二重植木鉢の実施例１の使用状態を示す正面図、Ｃ−Ｃ断面図及びＤ−Ｄ断面の拡大図である。
上記外鉢１は、下方に行くに従って小径となるテーパー形状の周壁３及び底壁10とを有し、周壁３の内周面に３個の支承突部６、6a、6bを形成し、該支承突部６、6a、6bは、求心方向に突出した縦長板状に形成されている。
上記内鉢２は、底壁４及び下方に行くに従って小径となるテーパー形状の周壁５とを有し、上記内鉢２の上部を、その周壁７の外周面の上端側よりの部位に形成した段部11を介して拡径し、該拡径段部11の円周方向全周にわたり等間隔で上記ポケット７、7a…を連続形成し、その個数を支承突部６、6a、6bの個数の３個の整数倍としている。
【００１５】
そして、外鉢１内に内鉢２を収容する際に、ポケット７、7a…における任意の３個の夫々の傾斜面９、9aのどちらか一方が、図８に示す様に、外鉢１側の支承突部６、6a、6bに当たり、該支承突部６、6a、6bに対し摺接状態となって、内鉢２は回転しながら下動し、受承面８が支承突部６、6a、6bに当たった時点で外鉢１に対し垂直状態で完全収容される。
【実施例２】
【００１６】
図９、１０は、本発明に係る二重植木鉢の実施例２における内鉢の底面図、Ｅ−Ｅ断面図であり、図１１、１２は、本発明に係る二重植木鉢の実施例２における外鉢の平面図、Ｆ−Ｆ断面図であり、図１３は、本発明に係る二重植木鉢の実施例２の縦断面図であり、内鉢２は、底壁４及び下方に行くに従って小径となるテーパー形状の周壁５とを有し、周壁５の外周面に３個の支承突部６、6a、6bを形成し、該支承突部６、6a、6bは、求心方向に突出した縦長板状に形成されている。
上記外鉢１は、下方に行くに従って小径となるテーパー形状の周壁３及び底壁10とを有し、周壁３における内周面の上端側寄りに円周方向全周にわたり等間隔で上記ポケット７、7a…を連続形成し、その個数を支承突部６、6a、6bの個数である３個の整数倍としている。
【００１７】
そして、外鉢１内に内鉢２を収容する際に、内鉢２側の支承突部６、6a、6bが、外鉢１側のポケット７、7a…における任意の３個の夫々の傾斜面９、9aのどちらか一方に当たり、該傾斜面９、9aに対し摺接状態となって、内鉢２は回転しながら下動し、支承突部６、6a、6bが受承面８に当たった時点で外鉢１に対し垂直状態で完全収容される。
【００１８】
尚、図面上、ポケット７、7a…は三角形状で、傾斜面９、9aを平面状に、受承面８を三角溝状にしているが、かかる形状に限定せず、受承面８は円弧状であったり、或いは傾斜面９、9aの先端部間に連続形成された幅狭い凹部として支承突部６、6a…が嵌まり込む様にするなど、要するに収容状態において外鉢１に対し内鉢２が位置ずれしない様に形成するのが好ましく、傾斜面９、9aは相互間が受承面８側へ漸次狭くなっていれば曲面状であっても良い。
又、図面上、支承突部６、6a、6bは、求心方向に突出した縦長板状に形成されているが、かかる形状に限定せず、要するに受承面８への当接端部が幅狭く、且つ受承面８への当接を邪魔しない形状であれば良い。
【００１９】
又、図示しないが、上記実施例１、２における外鉢１の形態は周壁３及びを有した有底筒状であるが、底壁10がなく周壁３だけの無底筒状であっても良い。
或いは、図１４に示す様に、周壁３を内外壁部3a、3bを備えた二重壁としても良く、この場合、内壁部3bの内周面に支承突部６、6a…（又はポケット７、7a…）を形成し、又内鉢２を外壁部3aで囲えば、外部から内鉢２が視認出来なくなるため、内鉢２の全体を内壁部3bで囲わなくても良く、少なくとも支承突部６、6a…（又はポケット７、7a…）が形成可能であれば良い。
【符号の説明】
【００２０】
１            外鉢
２            内鉢
３            周壁
５            周壁
６、6a、6b…  支承突部
７、7a…      ポケット
８            受承面
９、9a        傾斜面
【図１】
2011152098.tif 000003
【図２】
2011152098.tif 000004
【図３】
2011152098.tif 000005
【図４】
2011152098.tif 000006
【図５】
2011152098.tif 000007
【図６】
2011152098.tif 000008
【図７】
2011152098.tif 000009
【図８】
2011152098.tif 000010
【図９】
2011152098.tif 000011
【図１０】
2011152098.tif 000012
【図１１】
2011152098.tif 000013
【図１２】
2011152098.tif 000014
【図１３】
2011152098.tif 000015
【図１４】
2011152098.tif 000016